(57)【要約】【課題】本発明は、エアクリーナ周辺の空間を有効利用しつつ、エアクリーナに接続される空気導入管の支持剛性を高めることを目的としている。【解決手段】このため、内燃機関にエアクリーナを搭載するとともに、エアクリーナには上流端部が開放された空気導入管と、下流側の吸気部品との間を連通する空気導出管とを接続した内燃機関の吸気装置において、空気導入管と空気導出管とのいずれか一方の管壁から他方の管壁に向かってレゾネータを突出させ、レゾネータに係合部を形成するとともに、他方の管壁に係合受部を形成し、係合部を係合受部に係合させて空気導入管を支持する構成としている。【選択図】図１
2005083267.tif 000002
【特許請求の範囲】
【請求項１】
内燃機関にエアクリーナを搭載するとともに、このエアクリーナには上流端部が開放された空気導入管と、下流側の吸気部品との間を連通する空気導出管とを接続した内燃機関の吸気装置において、前記空気導入管と前記空気導出管とのいずれか一方の管壁から他方の管壁に向かってレゾネータを突出させ、このレゾネータに係合部を形成するとともに、他方の管壁に係合受部を形成し、前記係合部を係合受部に係合させて前記空気導入管を支持する構成としたことを特徴する内燃機関の吸気装置。
【請求項２】
前記係合部をピン状に形成するとともに、前記係合受部を凹状且つ弾性部材で形成したことを特徴する請求項１に記載の内燃機関の吸気装置。
【請求項３】
前記係合部は中空状に形成され、前記係合部と前記レゾネータの内部が連通することを特徴する請求項２に記載の内燃機関の吸気装置。
【発明の詳細な説明】
【技術分野】
【０００１】
この発明は内燃機関の吸気装置に係り、特にエアクリーナ周辺の空間を有効利用しつつ、部品点数を増加させることなく、エアクリーナに接続される空気導入管の支持剛性を高める内燃機関の吸気装置に関するものである。
【背景技術】
【０００２】
自動車用内燃機関の吸気装置においては、一般に、空気導入管を通してエアクリーナに外気を導入し、スロットルボディやサージタンク、吸気マニホールドを通して内燃機関の各気筒に吸気を供給するように構成されている。
【０００３】
【特許文献１】特開平１１−１２５１６０号公報
【特許文献２】特開平１１−１３２１２２号公報
【特許文献３】特開平１１−２９４２８０号公報
【発明の開示】
【発明が解決しようとする課題】
【０００４】
ところで、従来の内燃機関の吸気装置において、前記内燃機関に取り付けられるエアクリーナには、上流端部が開放された空気導入管と、下流側の吸気部品との間を連通する空気導出管とが接続される。
【０００５】
このとき、空気導出管の場合は、上流側がエアクリーナに接続されているとともに、下流側が吸気部品に接続されており、両端支持状態となっているため、支持剛性に関して何ら不具合がない。
【０００６】
しかし、前記空気導入管の場合には、下流側がエアクリーナにのみ接続される、いわゆる片持ち支持状態となっているため、空気導入管の上流側あるいは途中部位を支持する必要があり、別途支持部材を使用して支持することとなり、支持部品等の部品点数が増加し、構成が複雑化して製作が困難となり、実用上不利であるとともに、コストが大となり、経済的に不利であるという不都合がある。
【課題を解決するための手段】
【０００７】
そこで、この発明は、上述不都合を除去するために、内燃機関にエアクリーナを搭載するとともに、このエアクリーナには上流端部が開放された空気導入管と、下流側の吸気部品との間を連通する空気導出管とを接続した内燃機関の吸気装置において、前記空気導入管と前記空気導出管とのいずれか一方の管壁から他方の管壁に向かってレゾネータを突出させ、このレゾネータに係合部を形成するとともに、他方の管壁に係合受部を形成し、前記係合部を係合受部に係合させて前記空気導入管を支持する構成としたことを特徴する。
【発明の効果】
【０００８】
以上詳細に説明した如くこの本発明によれば、内燃機関にエアクリーナを搭載するとともに、エアクリーナには上流端部が開放された空気導入管と、下流側の吸気部品との間を連通する空気導出管とを接続した内燃機関の吸気装置において、空気導入管と空気導出管とのいずれか一方の管壁から他方の管壁に向かってレゾネータを突出させ、レゾネータに係合部を形成するとともに、他方の管壁に係合受部を形成し、係合部を係合受部に係合させて空気導入管を支持する構成としたので、空気導入管と空気導出管とに囲まれるエアクリーナ周辺の空間にレゾネータを配置して空間を有効利用することができるとともに、距離が離れた前記空気導入管と前記空気導出管とをレゾネータを介して連結し、空気導入管の支持剛性を向上させることができる。
【発明を実施するための最良の形態】
【０００９】
上述の如く発明したことにより、空気導入管と空気導出管とに囲まれるエアクリーナ周辺の空間にレゾネータを配置して空間を有効利用するとともに、距離が離れた前記空気導入管と前記空気導出管とをレゾネータを介して連結し、空気導入管の支持剛性を向上させている。
【実施例】
【００１０】
以下図面に基づいてこの発明の実施例を詳細に説明する。
【００１１】
図１〜図５はこの発明の実施例を示すものである。図３及び図４において、２は内燃機関である。
【００１２】
この内燃機関２は、上部にエアクリーナ４を搭載するとともに、このエアクリーナ４の車両前側にレゾネータ６を配設する。
【００１３】
エアクリーナ４には、図１及び図３、図４に示す如く、上流端部の空気導入口８が車両右側に指向して開放される空気導入管１０の下流端部を入口部１２を介して接続して設ける。
【００１４】
また、前記レゾネータ６の出口部１４には、この出口部１４から内燃機関２の車両右側に指向した後、内燃機関２の車両前側且つ車両下側に指向すべく湾曲させて形成した空気導出管１６の上流端部を接続して設け、この空気導出管１６の下流端部を吸気部品、例えばターボ過給機１８用のターボ入口パイプ２０に接続して設ける。
【００１５】
このターボ過給機１８は、図３及び図４に示す如く、前記内燃機関２の車両前側部位に配設され、ターボ過給機１８の下流側には、図３に示す如く、ターボ出口パイプ２２を介して、内燃機関２の車両左側に配設されるインタークーラ２４を接続して設ける。このとき、符号２６は、インタークーラ２４のインタークーラダクトである。
【００１６】
更に、前記インタークーラ２４の下流側に、図３に示す如く、前記内燃機関２の車両左側に配設されるスロットルボディ２８を接続して設ける。
【００１７】
このスロットルボディ２８の下流側には、図３及び図４に示す如く、前記内燃機関２の車両後側部位に配設されるサージタンク３０と吸気マニホールド３２とを上流側から順次接続して設け、吸気マニホールド３２の下流側端部を前記内燃機関２の図示しない燃焼室に連絡させるべく配設している。
【００１８】
なお、符号３４は、前記ターボ過給機１８をバイパスすべく、ターボ過給機１８よりも上流側のターボ入口パイプ２０とターボ過給機１８よりも下流側のターボ出口パイプ２２とを連絡するエアバイパス配管、３６は前記内燃機関２の車両前側部位に配設される排気マニホールドである。
【００１９】
そして、前記空気導入管１０と前記空気導出管１６とのいずれか一方の管壁から他方の管壁に向かってレゾネータ３８を突出させ、このレゾネータ３８に係合部４０を形成するとともに、他方の管壁に係合受部４２を形成し、前記係合部４０を係合受部４２に係合させて前記空気導入管１０を支持する構成とする。
【００２０】
詳述すれば、例えば一方である前記空気導入管１０の管壁１０ａから、図１、図３及び図５に示す如く、他方である前記空気導出管１６の管壁１６ａに向かってレゾネータ３８を突出させて設ける。
【００２１】
このとき、レゾネータ３８は、図１、図３及び図５に示す如く、前記空気導入管１０の上流端部の空気導入口８側から、第１レゾネータ３８−１と第２レゾネータ３８−２とを順次配設するとともに、これら第１、第２レゾネータ３８−１、３８−２を接続部材４４により一体に接続している。
【００２２】
また、前記レゾネータ３８の第１レゾネータ３８−１に、図１、図２及び図５に示す如く、他方である前記空気導出管１６の管壁１６ａに指向すべくピン状の前記係合部４０を形成するとともに、他方である前記空気導出管１６の管壁１６ａには、図１及び図２に示す如く、前記係合部４０に対峙すべく、凹状且つゴム材料等の弾性部材からなる前記係合受部４２を形成し、前記係合部４０と係合受部４２との係合方向が、前記エアクリーナ４の入口部１２の指向方向に対して直交するように形成する。
【００２３】
更に、図５に示す如く、前記係合部４０を中空状に形成して内部に空間部４６を設け、この空間部４６を前記レゾネータ３８の第１レゾネータ３８−１に連絡して設ける。
【００２４】
次に作用を説明する。
【００２５】
前記エアクリーナ４及びレゾネータ６に空気導入管１０と空気導出管１６を配設する際には、図１に示す如く、前記空気導入管１０の下流端部を、前記入口部１２を介して前記エアクリーナ４に接続させるとともに、前記空気導出管１６の上流端部を、前記出口部１４を介して前記レゾネータ６に接続させる。
【００２６】
このとき、一方である前記空気導入管１０の管壁１０ａから他方である前記空気導出管１６の管壁１６ａに向かって突出形成した前記レゾネータ３８の第１レゾネータ３８−１において、この第１レゾネータ３８−１に他方である前記空気導出管１６の管壁１６ａに指向すべく形成したピン状の前記係合部４０を、図１及び図２に示す如く、前記空気導出管１６の管壁１６ａに前記係合部４０に対峙すべく形成した凹状且つゴムあるいは合成樹脂等の弾性部材からなる前記係合受部４２に係合させる。
【００２７】
また、前記係合部４０の内部に形成される空間部４６は、図５に示す如く、一端が閉塞され、且つ他端が前記レゾネータ３８の第１レゾネータ３８−１に連絡している。
【００２８】
よって、前記エアクリーナ４に接続される片持ち支持の前記空気導入管１０とエアクリーナ４と下流側の吸気部品との間を連絡する両端支持の前記空気導出管１６とにおいて、例えば一方である前記空気導入管１０の管壁１０ａから他方である前記空気導出管１６の管壁１６ａに向かってレゾネータ３８を突出させ、レゾネータ３８を介して前記空気導入管１０を前記空気導出管１６に係合させて支持したことにより、空気導入管１０と空気導出管１６とに囲まれるエアクリーナ４周辺の空間にレゾネータ３８を配置して空間を有効利用することができるとともに、距離が離れた前記空気導入管１０と前記空気導出管１６とをレゾネータ３８を介して連結し、空気導入管１０の支持剛性を向上させることができる。
【００２９】
また、前記レゾネータ３８の第１レゾネータ３８−１に、他方である前記空気導出管１６の管壁１６ａに指向すべくピン状の前記係合部４０を形成するとともに、他方である前記空気導出管１６の管壁１６ａには、前記係合部４０に対峙すべく、凹状且つ合成樹脂等の弾性部材からなる前記係合受部４２を形成したことにより、前記係合部４０を係合受部４２で弾性支持して前記空気導出管１６側から前記空気導入管１０側へのエンジン振動の伝達を防止することができ、実用上有利である。
【００３０】
更に、前記係合部４０を中空状に形成して内部に空間部４６を設け、この空間部４６を前記レゾネータ３８の第１レゾネータ３８−１に連絡して設けたことにより、ピン状に形成される前記係合部４０の径を拡大して剛性を高めるとともに、係合部４０とレゾネータを合成樹脂等の弾性部材からなる材料で一体に形成し易くすることできるとともに、前記係合部４０の内部に形成した空間部４６をレゾネータ３８の第１レゾネータ３８−１の容積室としても活用することができるものである。
【００３１】
なお、この発明は上述実施例に限定されるものではなく、種々の応用改変が可能である。
【００３２】
例えば、この発明の実施例においては、前記空気導入管と前記空気導出管とのいずれか一方の一方を空気導入管とするとともに、他方を空気導出管とし、空気導入管の管壁に係合部を設けるとともに、空気導出管の管壁に係合受部を設ける構成としたが、空気導入管と空気導出管とを入れ替えて、空気導出管の管壁に係合部を設けるとともに、空気導入管の管壁に係合受部を設ける構成とすることもできる。
【００３３】
また、この発明の実施例においては、空気導入管の管壁に係合部を設けるとともに、空気導出管の管壁に係合受部を設け、空気導入管の管壁から他方である空気導出管の管壁に向かってレゾネータを突出させ、このレゾネータに、他方である前記空気導出管の管壁に指向すべくピン状の前記係合部を形成するとともに、他方である前記空気導出管の管壁には、前記係合部に対峙すべく、凹状且つ合成樹脂等の弾性部材からなる前記係合受部を形成する構成としたが、前記空気導入管をエアクリーナにて２点支持する特別構成とすることも可能である。
【００３４】
すなわち、前記空気導入管の空気導入口側において、空気導入管の管壁からエアクリーナの管壁に向かってレゾネータを突出させ、このレゾネータに、エアクリーナに指向すべく係合部を形成するとともに、エアクリーナの管壁には、前記係合部に対峙すべく、凹状且つ合成樹脂等の弾性部材からなる前記係合受部を形成するものである。
【００３５】
つまり、前記空気導入管の下流側がエアクリーナに係合支持される構成となっているため、このエアクリーナに対する空気導入管の係合方向を同一とする係合部を空気導入管の空気導入口側にレゾネータを介して連絡して設け、この係合部と空気導入口間をレゾネータとして使用するものである。
【００３６】
さすれば、空気導入管と空気導出管とに囲まれるエアクリーナ周辺の空間にレゾネータを配置して空間を有効利用することができるとともに、距離が離れた前記空気導入管と前記エアクリーナとをレゾネータを介して連結し、空気導入管の支持剛性を向上させることができ、しかも前記エアクリーナへの空気導入管の下流側における係合方向に対して、空気導入管の空気導入口側に設けた係合部の係合方向を同一とすることができ、取付作業性の向上にも寄与し得る。
【００３７】
更に、この発明の実施例においては、空気導入管と係合部との間にレゾネータを設け、空間の有効利用を図る構成としたが、係合部を、空気導入管から延びる棒状部材によって形成する特別構成とすることも可能である。
【００３８】
さすれば、各種部品が密集して大型のレゾネータを形成することができないような状況に陥っている場合には、棒状部材によって前記空気導入管を容易に支持することができるとともに、途中に部品が配設されている場合には、棒状部材を上下方向あるいは水平方向に湾曲させて部品を迂回した後に取り付けることが可能となり、他の部品のレイアウトを変更することなく空気導入管を支持することができ、実用上有利である。
【図面の簡単な説明】
【００３９】
【図１】この発明の実施例を示す  エアクリーナ及びレゾネータに空気導入管と空気導出管とを取り付ける取付状態斜視図である。
【図２】空気導入管の管壁に設けた係合部を、空気導出管の管壁に設けた係合受部に係合させた状態の要部拡大断面図である。
【図３】内燃機関の平面図である。
【図４】内燃機関の左側面図である。
【図５】空気導入管の管壁に設けた係合部の要部拡大断面図である。
【符号の説明】
【００４０】
２  内燃機関
４  エアクリーナ
６  レゾネータ
８  空気導入口
１０  空気導入管
１０ａ  管壁
１２  入口部
１４  出口部
１６  空気導出管
１６ａ  管壁
１８  ターボ過給機
２０  ターボ入口パイプ
２２  ターボ出口パイプ
２４  インタークーラ
２６  インタークーラダクト
２８  スロットルボディ
３０  サージタンク
３２  吸気マニホールド
３４  エアバイパス配管
３６  排気マニホールド
３８  レゾネータ
３８−１  第１レゾネータ
３８−２  第２レゾネータ
４０  係合部
４２  係合受部
４４  接続部材
４６  空間部
【図１】
2005083267.tif 000003
【図２】
2005083267.tif 000004
【図３】
2005083267.tif 000005
【図４】
2005083267.tif 000006
【図５】
2005083267.tif 000007